(57)【要約】【課題】断熱材中に埋め込まれる配線の品質低下を抑えることのできる断熱構造体を提供する。【解決手段】冷蔵庫の断熱箱体（断熱構造体）５０は、断熱層５３と、断熱層５３の内部に埋め込まれた複数のハーネス２０とを備えている。断熱層５３は、ビニレン基、ビニル基、及びビニリデン基からなる群から選択される何れか一つの炭化水素基を有するハロゲン化炭化水素を主成分として含む発泡剤を含有する。複数のハーネス２０は、第１ハーネス２０ａを少なくとも含んでいる。第１ハーネス２０ａは、導電性を有する芯材２１と、ポリ塩化ビニルを含まない絶縁性の第２被覆材２３とを有する。【選択図】図２
2018105555.tif 000002
【特許請求の範囲】
【請求項１】
断熱材と、当該断熱材の内部に埋め込まれた複数の配線とを備えている断熱構造体であって、
前記断熱材は、ビニレン基、ビニル基、及びビニリデン基からなる群から選択される何れか一つの炭化水素基を有するハロゲン化炭化水素を主成分として含む発泡剤を含有し、
前記複数の配線は、
導電性を有する芯材と、
前記芯材を被覆する絶縁性の被覆材であって、ポリ塩化ビニルを含まない第１被覆材と
を有する第１の配線を少なくとも含んでいる、断熱構造体。
【請求項２】
前記複数の配線は、
導電性を有する芯材と、
前記芯材を被覆する絶縁性の被覆材であって、ポリ塩化ビニルを含む第２被覆材と
を有する第２の配線をさらに含んでいる、請求項１に記載の断熱構造体。
【請求項３】
前記第１の配線と、前記第２の配線とは、交互に配置されている、請求項２に記載の断熱構造体。
【請求項４】
前記第１の配線と、前記第２の配線とは、平面的に配置されている、請求項２または３に記載の断熱構造体。
【請求項５】
前記複数の配線として、まとめて配置されている３つ以上の配線を有し、
前記３つ以上の配線のうち、１つの配線が前記第２の配線であり、
前記３つ以上の配線のうち、残りの２つ以上の配線が前記第１の配線である、
請求項２から４の何れか１項に記載の断熱構造体。
【請求項６】
少なくとも３つの前記配線をまとめて覆う外側被覆材をさらに有している、請求項１から５の何れか１項に記載の断熱構造体。
【請求項７】
断熱材と、
前記断熱材の内部に埋め込まれた複数の配線であって、導電性を有する芯材と、該芯材を被覆する絶縁性の被覆材と有している配線と、
前記複数の配線をまとめて覆う少なくとも一つの外側被覆材と
を備えている断熱構造体であって、
前記断熱材は、ビニレン基、ビニル基、及びビニリデン基からなる群から選択される何れか一つの炭化水素基を有するハロゲン化炭化水素を主成分として含む発泡剤を含有し、
前記外側被覆材は、前記断熱材と前記配線との間の略全領域に介在するように設けられている、断熱構造体。
【発明の詳細な説明】
【技術分野】
【０００１】
本発明は、断熱材中に配線が埋め込まれている断熱構造体に関する。
【背景技術】
【０００２】
一般に、冷蔵庫には、周囲との断熱を行うために、貯蔵空間の外周を覆うように断熱箱体が設けられている。断熱箱体は、外箱と、内箱と、これらの間に充填された断熱材とで構成されている。断熱材としては、例えば、硬質発泡ウレタン断熱材などの発泡性の断熱材が用いられる。
【０００３】
また、断熱箱体の内部には、断熱材の他に、冷蔵庫内に配設される制御基板、スイッチ、モータなどの各種電子部品同士を接続する電気配線も存在する。このような電気配線は、例えば特許文献１に示すように、複数本束ねられて形成されたハーネス部品として、断熱材中に埋め込まれるようにして存在する。
【先行技術文献】
【特許文献】
【０００４】
【特許文献１】特開平５−２０５５３２公報
【発明の概要】
【発明が解決しようとする課題】
【０００５】
ところで、近年、冷蔵庫のエネルギー効率をより高めるために、硬質発泡ウレタン断熱材に用いる発泡剤として、ビニレン基（−ＣＨ＝ＣＨ−）を基本構造とするハロゲン化炭化水素を主成分として含む発泡剤の使用が検討されている。この発泡剤は大気中での寿命が短いため地球温暖化への影響が非常に小さく、且つ、気体熱伝導率が低いことから、環境に配慮した材料であるとともに、冷蔵庫等の省エネ化にも対応できる。
【０００６】
一方、ハーネスを構成している配線は、導電性を有する芯材と、その周囲を覆っている絶縁性の被覆材とで構成されている。そのため、ウレタン発泡断熱材中にハーネスを埋め込んだとき、外側の被覆材と断熱材とが接触する。
【０００７】
このとき、被覆材と断熱材との組み合わせによっては、被覆材が時間の経過とともに劣化してしまうという問題が発生する。上記の発泡剤を使用した硬質発泡ウレタン断熱材については、ポリ塩化ビニルを含む被覆材を徐々に硬化させる。
【０００８】
そして、被覆材と断熱材との接触状態が継続すると、被覆材が徐々に硬化し、冷蔵庫の使用中や冷蔵庫の運搬中などに、被覆材がひび割れたり、剥がれたりするなどして、内部の導電性を有する芯材が露出する可能性がある。また、被覆材が硬化すると、冷蔵庫の作動中に起こり得る振動等によって、配線が断線してしまうことが懸念される。
【０００９】
そこで、本発明では、断熱材中に埋め込まれる配線の品質低下を抑えることのできる断熱構造体を提供することを目的とする。また、本発明では、断熱材中に埋め込まれた配線の被覆材が部分的に硬化した場合であっても、隣接する配線同士の短絡を抑えることのできる断熱構造体を提供することを目的とする。
【課題を解決するための手段】
【００１０】
本発明の第一局面にかかる断熱構造体は、断熱材と、当該断熱材の内部に埋め込まれた複数の配線とを備えている断熱構造体である。この断熱構造体において、前記断熱材は、ビニレン基、ビニル基、及びビニリデン基からなる群から選択される何れか一つの炭化水素基を有するハロゲン化炭化水素を主成分として含む発泡剤を含有する。また、この断熱構造体において、前記複数の配線は、第１の配線を少なくとも含んでいる。前記第１の配線は、導電性を有する芯材と、前記芯材を被覆する絶縁性の被覆材であって、ポリ塩化ビニルを含まない第１被覆材とを有する。
【００１１】
上記の本発明の断熱構造体において、前記複数の配線は、第２の配線を少なくとも含んでいてもよい。前記第２の配線は、導電性を有する芯材と、前記芯材を被覆する絶縁性の被覆材であって、ポリ塩化ビニルを含む第２被覆材とを有する。
【００１２】
上記の本発明の断熱構造体において、前記第１の配線と、前記第２の配線とは、交互に配置されていてもよい。
【００１３】
上記の本発明の断熱構造体において、前記第１の配線と、前記第２の配線とは、平面的に配置されていてもよい。
【００１４】
上記の本発明の断熱構造体は、前記複数の配線として、まとめて配置されている３つ以上の配線を有し、前記３つ以上の配線のうち、１つの配線が前記第２の配線であり、前記３つ以上の配線のうち、残りの２つ以上の配線が前記第１の配線であってもよい。
【００１５】
上記の本発明の断熱構造体は、少なくとも３つの前記配線をまとめて覆う外側被覆材をさらに有していてもよい。
【００１６】
また、本発明の第二局面に係る断熱構造体は、断熱材と、前記断熱材の内部に埋め込まれた複数の配線であって、導電性を有する芯材と、該芯材を被覆する絶縁性の被覆材と有している配線と、前記複数の配線をまとめて覆う少なくとも一つの外側被覆材とを備えている。この断熱構造体において、前記断熱材は、ビニレン基、ビニル基、及びビニリデン基からなる群から選択される何れか一つの炭化水素基を有するハロゲン化炭化水素を主成分として含む発泡剤を含有し、前記外側被覆材は、前記断熱材と前記配線との間の略全領域に介在するように設けられている。
【発明の効果】
【００１７】
本発明の一局面に係る断熱構造体によれば、断熱材中に埋め込まれる配線の被覆材の品質低下を抑えることができる。
【００１８】
また、本発明の他の局面に係る断熱構造体によれば、断熱材中に埋め込まれた配線の被覆材が部分的に硬化した場合であっても、隣接する配線同士の短絡を抑えることができる。
【図面の簡単な説明】
【００１９】
【図１】本発明の一実施形態に係る冷蔵庫の内部構成を示す側面断面図である。
【図２】（ａ）は、図１に示す冷蔵庫に備えられた断熱箱体の内部構成を示す断面模式図である。（ｂ）は、（ａ）に示す断熱箱体の断熱材中に配置された第１ハーネスの断面図である。
【図３】図１に示す冷蔵庫に備えられた断熱箱体内の配線構造の一例を部分的に示す模式図である。
【図４】（ａ）は、第２の実施形態にかかる冷蔵庫に備えられた断熱箱体及び第６の実施形態に係る保温器の内部構成を示す断面模式図である。（ｂ）は、（ａ）に示す断熱箱体の断熱材中に配置された第１ハーネスの断面図である。（ｃ）は、（ａ）に示す断熱箱体の断熱材中に配置された第２ハーネスの断面図である。
【図５】（ａ）は、図１に示す冷蔵庫に備えられた断熱箱体内の配線構造の一例を部分的に示す模式図である。（ｂ）は、（ａ）に示す配線構造のＸ１−Ｘ１線における構成を示す断面図である。
【図６】（ａ）は、図１に示す冷蔵庫に備えられた断熱箱体内の配線構造の他の例を部分的に示す模式図である。（ｂ）は、（ａ）に示す配線構造のＸ２−Ｘ２線における構成を示す断面図である。
【図７】（ａ）は、図１に示す冷蔵庫に備えられた断熱箱体内の配線構造の他の例を部分的に示す模式図である。（ｂ）は、（ａ）に示す配線構造のＸ３−Ｘ３線における構成を示す断面図である。
【図８】（ａ）は、図１に示す冷蔵庫に備えられた断熱箱体内の配線構造の他の例を部分的に示す模式図である。（ｂ）は、（ａ）に示す配線構造のＸ４−Ｘ４線における構成を示す断面図である。
【図９】本発明の第３の実施形態にかかる冷蔵庫の断熱箱体内に備えられた配線構造を部分的に示す模式図である。
【図１０】本発明の第４の実施形態にかかる冷蔵庫の断熱箱体内に備えられた配線構造を部分的に示す模式図である。
【図１１】本発明の第５の実施形態に係る冷蔵庫の内部構成を示す側面断面図である。
【発明を実施するための形態】
【００２０】
以下、図面を参照しつつ、本発明の各実施形態について説明する。以下の説明では、同一の部品には同一の符号を付してある。それらの名称および機能も同じである。したがって、それらについての詳細な説明は繰り返さない。
【００２１】
〔第１の実施形態〕
本実施形態では、本発明の断熱構造体の一例として、冷蔵庫に備えられた断熱箱体を例に挙げて説明する。但し、本発明は、これに限定はされない。
【００２２】
＜冷蔵庫の全体構成＞
まず、本実施の形態にかかる冷蔵庫１の全体構成について説明する。図１は、本実施の形態にかかる冷蔵庫１の全体構成を示す側面断面図である。
【００２３】
図１に示すように、冷蔵庫１は、上段に冷蔵室１１、中段に野菜室１２、及び下段に冷凍室１３を備えている。冷蔵室１１には、例えば、左右に分割された観音開き式の冷蔵室扉１１ａが設けられている。野菜室１２には、引き出し式の冷蔵室扉１２ａが設けられている。冷凍室１３には、引き出し式の冷凍室扉１３ａが設けられている。
【００２４】
本実施形態では、扉が設けられている面を冷蔵庫の前面とする。そして、前面に対向する面を背面とする。
【００２５】
冷蔵庫１には、各貯蔵空間を周囲から断熱するための断熱構造として、断熱箱体５０が設けられている。断熱箱体５０は、冷蔵庫１の外周を覆うように設けられている。断熱箱体５０は、主として、外箱５１と、内箱５２と、断熱層（断熱材）５３とを備えている。
【００２６】
冷蔵庫１の内部には、冷凍サイクルが設けられている。冷凍サイクルは、冷媒が流通する冷媒管（冷媒流路）を介して、圧縮機６１、凝縮器（図示せず）、膨張器（図示せず）、及び、冷却器７２が接続されて構成されている。
【００２７】
また、冷蔵庫１の内部には、制御部が設けられている。この制御部が、冷凍サイクルの運転の制御を行っている。すなわち、制御部が圧縮機６１を駆動させることによって、冷凍サイクルの運転が開始され、サイクル内を冷媒が流通する。圧縮機６１により圧縮された高温高圧の冷媒は、凝縮器で放熱しながら凝縮される。続いて、高温の冷媒は膨張器で膨張して低温低圧となり、蒸発器としての冷却器７２に送られる。冷却器７２に流入する冷媒は冷却室７５内を流通する冷気と熱交換され、吸熱しながら蒸発して低温のガス冷媒となって圧縮機６１に送られる。
【００２８】
このように、冷媒が循環して冷凍サイクルが運転されるとともに、冷却器７２と熱交換した気流によって冷気が生成される。本実施形態では、制御部は、制御ユニット８１などとして実現される。
【００２９】
図１に示すように、冷却器７２は、冷蔵庫１の背面側に設けられた冷却室７５内に配置されている。冷却室７５は、各貯蔵空間と、断熱箱体５０との間に配置されている。冷却室７５内には、冷却器７２の他に、冷却ファン７３が備えられている。冷却ファン７３は、冷却室７５と各貯蔵空間との間で空気を循環させるために設けられている。すなわち、冷却ファン７３は、冷凍サイクルの運転時などに冷却器７２によって生成された冷気を、各流路を経由して各貯蔵空間へ送出するとともに、各貯蔵室に供給された冷気を、冷却室７５内へ戻す。
【００３０】
図１に示すように、圧縮機６１は、冷蔵庫１の底部の背面側に設けられた機械室６０内に配置されている。また、機械室６０内には、制御ユニット８１が配置されている。制御ユニット８１は、圧縮機６１などの断熱箱体５０の外側に配置されている各部品と接続されている。また、制御ユニット８１は、断熱箱体５０の内側に配置されている各部品（冷却器７２、冷却ファン７３、各種スイッチなど）とも接続されている。制御ユニット８１は、制御基板で構成されており、各部品の制御を行う。
【００３１】
そして、断熱箱体５０の内部には、複数本のハーネス（配線）２０がさらに配置されている。ハーネス２０は、制御ユニット８１と各部品との間をそれぞれ接続する。ハーネス２０は、主として、導電性を有する芯材２１と、芯材２１を覆っている絶縁性の樹脂組成物で形成された被覆材（例えば、第１被覆材２２）とで構成されている（図２（ｂ）参照）。ハーネス２０は、制御ユニット及び各部品を電気的に接続する。ハーネス２０は、断熱層５３中に埋め込まれている。本実施形態では、ハーネス２０は、１種類のハーネス（すなわち、ポリ塩化ビニルを含まない第１被覆材を有する第１ハーネス（第１の配線）２０ａ）で構成されている。
【００３２】
＜断熱箱体の説明＞
続いて、断熱箱体５０のより具体的な構成について、図１及び図２（ａ）を参照しながら説明する。図２（ａ）は、断熱箱体５０の横断面の構成を示す。図２（ａ）に示すように、断熱箱体５０は、主として、外箱５１と、内箱５２と、断熱層５３とを備えている。
【００３３】
外箱５１は、断熱箱体５０の外周面を形成する。外箱５１は、冷蔵庫１の外形も部分的に形成している。内箱５２は、断熱箱体５０の内周面を形成する。また、内箱５２は、貯蔵空間（例えば、冷蔵室１１、野菜室１２、冷凍室１３）及び冷却室７５との境界を形成している。
【００３４】
なお、断熱箱体５０の底部の背面側には、機械室６０を配置するための空間が形成されている。つまり、機械室６０は、断熱箱体５０の外側に配置される。これは、圧縮機６１が運転されることにより、機械室６０内の温度が上昇するためである。
【００３５】
上記の構成により、図１に示すように、機械室６０と冷凍室１３とは、断熱箱体５０によって隔離される。そのため、機械室６０内で発生した熱が冷凍室１３へ流れ込むことを抑えることができる。
【００３６】
断熱層５３は、主として、発泡断熱材で構成される。具体的には、断熱層５３は、硬質発泡ウレタン（硬質ウレタンフォームともいう）などで形成することができる。硬質発泡ウレタンは、２種類の主原料に触媒、発泡剤、製泡剤などを混合し、泡化反応と樹脂化反応を同時に起こして得られる均一な樹脂発泡体である。
【００３７】
本実施形態に係る断熱箱体５０において、硬質発泡ウレタン製の断熱層５３の発泡剤として使用可能な発泡剤の詳細については、後述する。
【００３８】
なお、断熱箱体５０の断熱層５３に含まれる発泡剤以外の材料（２種類の主原料、触媒、及び製泡剤など）については、従来公知のものを用いることができる。
【００３９】
なお、図示はしていないが、断熱層５３内には、発泡断熱材の他に真空断熱材が含まれていてもよい。真空断熱材は、その内部空間を高真空に保ち、気相を伝わる熱量を出来る限り小さくすることにより、高い断熱効果を実現することができる。
【００４０】
真空断熱材を構成する材料については、従来公知のものを用いることができる。真空断熱材は、一般に、薄いシート状または板状の断熱材であり、例えば、冷蔵庫１の側面、上面、底面、及び、背面にそれぞれ配置されている。
【００４１】
このような構成の断熱箱体５０は、例えば次のように製造される。まず、内箱５２の内部に、ハーネス２０などの配線構造を所定の位置に取り付ける。その後、真空断熱材をあらかじめ外箱５１に接着固定する。そして、外箱５１と内箱５２とを例えば接着固定する。
【００４２】
その後、外箱５１と内箱５２との間に液体状の発泡断熱材の原料を注入する。発泡断熱材の原料は、外箱５１と内箱５２との間の空間内で発泡した後、硬化する。これにより、断熱箱体５０の内部は、発泡断熱材で充填された状態となる。配線（ハーネス２０）は、発泡断熱材（硬質発泡ウレタン）の内部に埋め込まれた状態となる。
【００４３】
上述した断熱箱体の構成は、本発明の一例である。したがって、本発明の冷蔵庫において、断熱箱体の構成は、上記のようなものに限定はされない。
【００４４】
＜断熱材に使用する発泡剤について＞
本発明においては、断熱構造体の断熱効率をより高めるために、硬質発泡ウレタン断熱材に用いる発泡剤として、気体熱伝導率が低いビニレン基（−ＣＨ＝ＣＨ−）、ビニル基（Ｈ２Ｃ＝ＣＨ−）、及びビニリデン基（Ｈ２Ｃ＝ＣＨ＜）の何れかを基本構造とするハロゲン化炭化水素を主成分として含む発泡剤を使用している。水素と置換されるハロゲンは、例えば、フッ素（Ｆ）、塩素（Ｃｌ）、臭素（Ｂｒ）などである。この中でも、ビニレン基を基本構造とするハロゲン化炭化水素を主成分として含む発泡剤を使用することが好ましい。また、置換されるハロゲンは、フッ素（Ｆ）又は塩素（Ｃｌ）であることが好ましい。また、ハロゲンを含むハロゲン化合物が水素と置換されて得られるハロゲン化炭化水素も本発明の範疇に含まれる。
【００４５】
ビニレン基を基本構造とするハロゲン化炭化水素としては、例えば、ＣＨＣｌ＝ＣＨＣＦ３またはＣＦ３ＣＨ＝ＣＨＣＦ３を挙げることができる。
【００４６】
なお、発泡剤の主成分となるハロゲン化炭化水素は、上記の構造に限定はされない。すなわち、このハロゲン化炭化水素は、ビニレン基、ビニル基、及びビニリデン基からなる群から選択される何れか一つの炭化水素基の水素が、ハロゲンまたはハロゲン化合物と置換された構造を有していればよい。たとえば、ハロゲン化炭化水素は、ビニレン基を基本構造として有する、ＣＨＲ１＝ＣＨＣＲ２またはＣＲ１ＣＨ＝ＣＨＣＲ２で表され、上記Ｒ１及びＲ２は、それぞれがハロゲンまたはハロゲン化合物であってもよい。
【００４７】
上記のＣＨＣｌ＝ＣＨＣＦ３で表されるハロゲン化炭化水素を主成分として含む発泡剤としては、例えば、ハネウエルソルティス（登録商標）ＬＢＡ（ハネウエルジャパン株式会社製）などが挙げられる。この発泡剤を用いることで、断熱構造体のエネルギー効率をより向上させることができる。
【００４８】
しかし、上述したようなハロゲン化炭化水素を主成分として含む発泡剤を用いて形成された断熱材は、断熱効率が高い反面、ハーネス２０の被覆材として用いられる樹脂組成物、例えばＰＶＣ（ポリ塩化ビニル）を硬化させやすいという問題を有している。
【００４９】
この問題の原因の一つとして、発泡剤中に含まれるハロゲン化炭化水素（例えば、ＣＨＣｌ＝ＣＨＣＦ３など）の化学構造が、ＰＶＣと似ていることによる相溶性の影響が考えられる。そのため、本実施形態にかかる断熱材中のハーネスの被覆材にＰＶＣが含まれる場合は、従来の発泡剤（例えば、炭化水素の一種であるシクロペンタン）を使用した断熱材と比較して、より浸食されやすい。
【００５０】
また、ハーネスは、通常、複数本でまとめられた状態で断熱材中に埋め込まれる。そのため、断熱材中に埋め込まれたハーネスの被覆材に劣化が生じ、被覆材がひび割れたり、剥がれたりすると、隣接する各ハーネス間で互いの芯材が接触して、短絡を引き起こす可能性がある。
【００５１】
そこで、本実施形態では、断熱材中に埋め込まれるハーネス２０として、ポリ塩化ビニルを含まない第１被覆材２２を有する第１ハーネス（第１の配線）２０ａを用いている。以下に、第１ハーネス２０ａのより詳しい構成について説明する。
【００５２】
＜断熱材中のハーネスの構成について＞
図２（ｂ）には、第１ハーネス２０ａの断面構成を示す。図２（ｂ）に示すように、第１ハーネス２０ａは、主として、芯材２１と、それを被覆する第１被覆材２２とで構成されている。芯材２１は、導電性を有する金属線（銅線など）で形成されている。芯材２１は、複数本の金属線を束ねて構成されていてもよい。第１被覆材２２は、芯材２１の外周を覆っている。第１被覆材２２は、可撓性を有する絶縁性の材料（樹脂組成物など）で形成されている。上述したように、第１被覆材２２は、ポリ塩化ビニルを含んでいない。
【００５３】
第１被覆材２２は、可塑剤（増塑剤ともいう）、阻燃剤、安定剤、顔料、及び充填剤などを含んでいる。また、第１被覆材２２には、ポリ塩化ビニルの代わりに、架橋ポリエチレン、フッ素樹脂などが含まれている。
【００５４】
架橋ポリエチレンは、ポリエチレンの直鎖を構成する炭素原子の一部が架橋して得られる。架橋ポリエチレンは、例えば、以下の（式１）に示す構造を有する。
【００５５】
【化１】
2018105555.tif 000003
【００５６】
上記のように、架橋ポリエチレンは、三次元的な網状構造を有するため、有機溶剤に対する耐性が、直鎖構造のポリエチレンと比較して向上する。また、応力のかかった状態における亀裂発生も生じにくくなる。そのため、断熱層５３中に第１ハーネス２０ａを埋め込んだ場合の第１被覆材２２の劣化を抑えることができる。より具体的には、断熱層５３中に埋め込まれた第１ハーネス２０ａの第１被覆材２２の伸び残率を比較的高い状態で維持することができる。
【００５７】
このように、ポリ塩化ビニルを含有しない第１被覆材２２を有する第１ハーネス２０ａは、後述のポリ塩化ビニルを含有する第２被覆材２３を有する第２ハーネス２０ｂと比較して、断熱層５３中に埋め込まれた場合の劣化の進行を抑えることができる。
【００５８】
第１被覆材２２は、架橋ポリエチレンの他に、可塑剤（増塑剤ともいう）、阻燃剤、安定剤、顔料、及び充填剤などを含んでいる。
【００５９】
可塑剤は、被覆材に柔軟性を付与する。使用される可塑剤としては、例えば、フタル酸エステル、トリメット酸トリオクチル（ＴＯＴＭ）などを挙げることができる。
【００６０】
阻燃剤は、被覆材を難燃化する役割を有する。使用される阻燃剤としては、例えば、三酸化アンチモン（Ｓｂ２Ｏ３）などを挙げることができる。
【００６１】
安定剤は、被覆材の劣化を抑える役割を有する。使用される安定剤としては、例えば、亜鉛（Ｚｎ）系安定剤などを挙げることができる。
【００６２】
顔料は、被覆材を着色するために使用される。顔料は、着色したい色に応じて、適宜選択することができる。
【００６３】
充填剤は、被覆材の増量を目的として添加される。使用される充填剤としては、例えば、炭酸カルシウム、酸化亜鉛などを挙げることができる。
【００６４】
本実施形態では、断熱箱体５０の断熱層５３内に、複数本のハーネス２０が並んで配置されている。例えば、図２（ａ）に示す例では、３本のハーネス２０が並走している。このように、断熱箱体５０の断熱層５３内では、複数本のハーネス２０が一つにまとめられて配置されている。一つの束にまとめられたハーネスの集合体を配線構造と呼ぶ。配線構造内に含まれるハーネスの本数は、必要に応じて様々に異なる。
【００６５】
図３には、配線構造の一例を示す。図３に示す配線構造３０においては、コネクタ３１から３本のハーネス２０が伸びている。コネクタ３１は、他の配線構造などと接続される。図３に示すように、配線構造３０は、３本の第１ハーネス２０ａで構成されている。
【００６６】
＜効果＞
以上のように、本実施形態に係る冷蔵庫１は、断熱箱体５０を構成している断熱層５３の発泡剤として、ビニレン基（−ＣＨ＝ＣＨ−）、ビニル基（Ｈ２Ｃ＝ＣＨ−）、及びビニリデン基（Ｈ２Ｃ＝ＣＨ＜）の何れかを基本構造とするハロゲン化炭化水素を主成分として含む発泡剤を使用している。このような発泡剤を用いることで、従来のシクロペンタンなどを主成分とする発泡剤を用いた場合と比較して、発泡断熱材中の熱伝導率を低く抑えることができる。したがって、断熱効率のより高い断熱構造体を得ることができる。
【００６７】
また、本実施形態では、断熱層５３中に埋め込まれている第１ハーネス２０ａの第１被覆材２２として、ポリ塩化ビニルを含有しないものを用いている。例えば、第１被覆材２２には、ポリ塩化ビニルの代わりに架橋ポリエチレンが含まれている。ポリ塩化ビニルを含有しない第１被覆材２２は、ポリ塩化ビニルを含有する被覆材と比較して、断熱層５３に対する耐久性がより高い。そのため、断熱層５３中に埋め込まれた場合のハーネス２０の劣化の進行を抑えることができる。
【００６８】
＜実施例＞
以下に、本発明の実施例について説明する。
【００６９】
本実施例では、第１被覆材２２の一例である架橋ポリエチレンを含有する被覆材を、銅線で形成された芯材に被覆して、ハーネスを作製した。なお、本実施例では、住友電気工業株式会社製のイラックス（登録商標）を使用して、被覆材を作製した。また、比較のために、ポリ塩化ビニルを含有する被覆材を、銅線で形成された芯材に被覆して、ハーネスを作製し、比較例とした。
【００７０】
次に、作製されたハーネス（通常品）について、伸び率Ａ:Ｘ’／Ｘ（％）（Ｘ：ハーネスの通常時の長さ、Ｘ’：ハーネスを伸ばした後の長さ）の測定を行った。この伸び率Ａを基準として用いた。
【００７１】
続いて、第１の実施形態に係る断熱構造体中に含まれる発泡剤の一つである、液状発泡剤（ハネウエルソルティス（登録商標）ＬＢＡ（ハネウエルジャパン株式会社製））中に、実施例および比較例にかかるハーネスを浸漬させた。浸漬時間は、１２０時間であった。
【００７２】
その後、上述した伸び率Ａの測定方法と同じ方法で、浸漬後の各ハーネスについて伸び率を測定した。実施例のハーネスの伸び率を伸び率Ｂとし、比較例のハーネスの伸び率を伸び率Ｃとした。そして、浸漬前の伸び率Ａに対する浸漬後の伸び率Ｂ及び伸び率Ｃの割合を、伸び残率（％）（実施例：伸び率Ｂ／伸び率Ａ×１００、比較例：伸び率Ｃ／伸び率Ａ×１００）として算出した。
【００７３】
その結果を、以下の表１に示す。
【００７４】
【表１】
2018105555.tif 000004
【００７５】
この結果から、液状発泡剤中に浸漬（１２０時間）させた後の伸び残率が、比較例では平均１４％であったのに対し、実施例では平均６７％であり、架橋ポリエチレン被覆材を用いた被覆材は、伸び率の低下、すなわち、被覆材の硬化を抑制できることが確認された。したがって、本実施例にかかるハーネスによれば、被覆材のひび割れや剥離が防止でき、配線の芯材の露出や配線の断線を防止できる。
【００７６】
〔第２の実施形態〕
続いて、本発明の第２の実施形態について説明する。上述したように、例えば、架橋ポリエチレンなどのポリ塩化ビニルを含まない被覆材を有するハーネスのみで構成された第１の実施形態によれば、被覆材の劣化を防止できる。但し、実施例に記載のように、架橋ポリエチレンは、発泡剤浸漬前の伸び率が比較的に低い。そのため、例えば、ハーネスを断熱箱体の内箱などに取り付ける際に、束ねたハーネスを所定の形状に曲げるのに必要な応力が大きくなり、作業性が低くなる。また、曲げ半径を小さくし難いため、内箱から浮き上がりやすくなり、発泡断熱材の発泡充填がハーネスによって妨げられる可能性がある。また、架橋ポリエチレンはＰＶＣに比べて高価である。
【００７７】
そのため、本実施形態においては、断熱箱体（断熱構造体）５０内に配置される複数のハーネス（配線）２０が、ポリ塩化ビニル（塩化ビニルともいう）を含まない第１被覆材２２を有する第１ハーネス（第１の配線）２０ａと、ポリ塩化ビニルを含む第２被覆材２３を有する第２ハーネス（第２の配線）２０ｂとで構成されている。以下では、断熱層５３内に埋め込まれている第１ハーネス２０ａおよび第２ハーネス２０ｂの構成について説明する。
【００７８】
図４（ａ）は、断熱箱体５０の横断面の構成を示す。図４（ａ）に示すように、断熱箱体５０は、主として、外箱５１と、内箱５２と、断熱層５３とを備えている。なお、本明細書中では、第１ハーネス２０ａおよび第２ハーネス２０ｂなどのような異なる種類のハーネスを総称する場合には、ハーネス２０と記載する。外箱５１、内箱５２、および断熱層５３などの断熱箱体５０の基本的な構成は、第１の実施形態と同様の構成が適用できる。そこで以下では、第１の実施形態とは異なる構成のみについて説明する。
【００７９】
ハーネス２０は、配線を複数本束ねた状態で、断熱箱体５０内の断熱層５３に埋め込まれるようにして配置されている。例えば、図４（ａ）に示すように、ハーネス２０は、内箱５２の背面と側面との角部分に配置され、内箱５２の壁面に沿うように複数本並んで配置されている。但し、これは一例であり、断熱層５３内におけるハーネス２０の配置の仕方はこれに限定はされない。
【００８０】
上述したように、本実施形態では、ハーネス２０は、第１ハーネス（第１の配線）２０ａと、第２ハーネス（第２の配線）２０ｂとに分けられる。図４（ｂ）には、第１ハーネス２０ａの断面構成を示す。図４（ｃ）には、第２ハーネス２０ｂの断面構成を示す。図４（ｂ）に示す第１ハーネス２０ａは、第１の実施形態と同様の構成が適用できる。
【００８１】
図４（ｃ）に示すように、第２ハーネス２０ｂは、主として、芯材２１と、それを被覆する第２被覆材２３とで構成されている。芯材２１は、第１ハーネス２０ａと同様に、導電性を有する金属線（銅線など）で形成されている。芯材２１は、複数本の金属線を束ねて構成されていてもよい。第２被覆材２３は、芯材２１の外周を覆っている。第２被覆材２３は、可撓性を有する絶縁性の材料（樹脂組成物など）で形成されている。上述したように、第２被覆材２３は、ポリ塩化ビニルを含んでいる。
【００８２】
第２被覆材２３は、ポリ塩化ビニル（ＰＶＣ）の他に、可塑剤（増塑剤ともいう）、阻燃剤、安定剤、顔料、及び充填剤などを含んでいる。
【００８３】
第２被覆材２３中に含まれるポリ塩化ビニル（ＰＶＣ）以外の材料（すなわち、可塑剤（増塑剤ともいう）、阻燃剤、安定剤、顔料、及び充填剤など）については、第１被覆材２２と同様の材料を用いることができる。
【００８４】
上述の実施例に示すように、断熱層５３中に埋め込まれた第１ハーネス２０ａの第１被覆材２２は、架橋ポリエチレンなどで構成されてポリ塩化ビニルを含まない。従って、断熱層５３中に埋め込まれた第１ハーネス２０ａの第１被覆材２２の伸び残率を、より高く維持することができる。具体的には、第１被覆材２２の伸び残率を、断熱材内に埋め込まれる前の状態での第１被覆材２２の引張強度に対して、６０％以上とすることができる。
【００８５】
以上のように、本実施形態にかかる断熱箱体５０では、断熱層５３中での伸び残率が互いに異なる２種類の被覆材を用いて形成された２種類のハーネス２０ａおよび２０ｂで配線を構成している。なお、本発明では、ハーネスの種類は、２種類に限定はされない。それぞれ異なる被覆材を有する３種類以上のハーネスを用いて断熱構造体を形成してもよい。
【００８６】
＜断熱材中の各ハーネスの配列について＞
続いて、断熱箱体５０における、第１ハーネス２０ａおよび第２ハーネス２０ｂの配列の仕方について、図４から図８を参照しながら説明する。本実施形態では、断熱箱体５０の断熱層５３内に、複数本のハーネス２０が並んで配置されている。例えば、図４（ａ）に示す例では、３本のハーネス２０が並走している。
【００８７】
このように、断熱箱体５０の断熱層５３内では、複数本のハーネス２０が一つにまとめられて配置されている。一つの束にまとめられたハーネスの集合体を配線構造と呼ぶ。配線構造内に含まれるハーネスの本数は、必要に応じて様々に異なる。図５から図８には、配線構造の例をそれぞれ示す。
【００８８】
図５（ａ）に示す配線構造３０ａにおいては、コネクタ３１から３本のハーネス２０が伸びている。コネクタ３１は、他の配線構造などと接続される。図５（ａ）に示すように、配線構造３０ａは、２本の第１ハーネス２０ａと１本の第２ハーネス２０ｂとで構成されている。
【００８９】
図５（ｂ）には、図５（ａ）のＸ１−Ｘ１線における断面構造を示す。図５（ｂ）に示すように、配線構造３０ａでは、３本のハーネス２０が平面的に配置されている。ここで、複数本のハーネスが平面的に配置されているとは、配線構造の断面構造において、各ハーネスの芯材２１（あるいは、各ハーネスの中心軸Ｐ）が略一直線上に整列していることをいう（図６（ｂ）参照）。
【００９０】
また、配線構造３０ａにおいては、平面的に並んだ３本のハーネスのうち、中央のハーネスを第２ハーネス２０ｂで構成し、その両脇の各ハーネスを第１ハーネス２０ａで構成している。このように、本実施形態では、断熱層５３に対する耐久性の異なる２種類のハーネス（すなわち、第１ハーネス２０ａおよび第２ハーネス２０ｂ）を交互に配置することが好ましい。
【００９１】
この構成によれば、断熱層５３中に埋め込まれたハーネスのうち、より断熱層５３によって硬化しやすい第２ハーネス２０ｂの第２被覆材２３に万一亀裂や破損などが発生した場合にも、その両隣には、断熱層５３に対する耐久性のより高い第１被覆材２２を有する第１ハーネス２０ａが配置されている。そのため、隣接するハーネス２０間の芯材２１同士が接触して短絡することを抑えることができる。また、複数のハーネス２０が平面的に配置されていることで、複数のハーネスが互いに接触する可能性を低くすることができるため、万一被覆材に亀裂などが発生した場合の配線の短絡を抑えることができる。
【００９２】
図６（ａ）には、配線構造の他の例を示す。図６（ａ）に示す配線構造３０ｂにおいては、コネクタ３１から３本のハーネス２０が伸びている。図６（ｂ）には、図６（ａ）のＸ２−Ｘ２線における断面構造を示す。
【００９３】
配線構造３０ａと同様に、配線構造３０ｂは、３本のハーネスが平面的に配置されている。そして、配線構造３０ｂは、２本の第１ハーネス２０ａと１本の第２ハーネス２０ｂとで構成されている。配線構造３０ｂでは、左右何れかの端部（図６（ａ）では右端部）に第２ハーネス２０ｂが配置されている。
【００９４】
以上のように、断熱箱体５０内の配線構造は、配線構造３０ａおよび３０ｂのように、一つのコネクタ３１によってまとめられている３つのハーネスのうち、１つが第２ハーネス２０ｂであり、残りの２つが第１ハーネス２０ａであることが好ましい。このように、より断熱層５３に対する耐久性の高い第１ハーネス２０ａを複数本で構成し、１本のみを耐久性のやや劣る第２ハーネス２０ｂで構成することで、万一第２ハーネス２０ｂの第２被覆材２３に亀裂が生じた場合にも、ハーネス同士が短絡することを抑えることができる。
【００９５】
図７（ａ）には、配線構造のさらに他の例を示す。図７（ａ）に示す配線構造３０ｃにおいては、コネクタ３１から２本のハーネス２０が伸びている。図７（ｂ）には、図７（ａ）のＸ３−Ｘ３線における断面構造を示す。
【００９６】
図７（ａ）に示すように、配線構造３０ｃは、１本の第１ハーネス２０ａと１本の第２ハーネス２０ｂとで構成されている。このように、２本のハーネスが並んで配置されている配線構造では、少なくとも１本のハーネスを、断熱層５３に対する耐久性のより高い第１ハーネス２０ａで構成することが好ましい。これにより、万一第２ハーネス２０ｂの第２被覆材２３に亀裂が生じた場合にも、ハーネス同士が短絡することを抑えることができる。
【００９７】
図８（ａ）には、配線構造のさらに他の例を示す。図８（ａ）に示す配線構造３０ｄにおいては、コネクタ３１から７本のハーネス２０が伸びている。図８（ｂ）には、図８（ａ）のＸ４−Ｘ４線における断面構造を示す。
【００９８】
図８（ａ）に示すように、配線構造３０ｄは、４本の第１ハーネス２０ａと３本の第２ハーネス２０ｂとで構成されている。そして、第１ハーネス２０ａと第２ハーネス２０ｂとが交互に並んで平面的に配置されている。これにより、万一第２ハーネス２０ｂの第２被覆材２３に亀裂が生じた場合にも、第２ハーネス２０ｂの両隣には、断熱層５３に対する耐久性のより高い第１ハーネス２０ａが配置されているため、ハーネス同士が短絡することを抑えることができる。
【００９９】
＜効果＞
以上のように、本実施形態に係る冷蔵庫１は、断熱箱体５０を構成している断熱層５３の発泡剤として、ビニレン基（−ＣＨ＝ＣＨ−）、ビニル基（Ｈ２Ｃ＝ＣＨ−）、及びビニリデン基（Ｈ２Ｃ＝ＣＨ＜）の何れかを基本構造とするハロゲン化炭化水素を主成分として含む発泡剤を使用している。このような発泡剤を用いることで、従来のシクロペンタンなどを主成分とする発泡剤を用いた場合と比較して、発泡断熱材中の熱伝導率を低く抑えることができる。したがって、断熱効率のより高い断熱構造体を得ることができる。
【０１００】
また、本実施形態では、断熱層５３中に埋め込まれている第１ハーネス２０ａの第１被覆材２２として、ポリ塩化ビニルを含有しないものを用いるとともに、断熱層５３中に埋め込まれている第２ハーネス２０ｂの第２被覆材２３として、ポリ塩化ビニルを含有するものを用いている。ポリ塩化ビニルを含有しない第１被覆材２２は、ポリ塩化ビニルを含有する第２被覆材２３と比較して、断熱層５３に対する耐久性がより高い。
【０１０１】
このように、断熱層５３内に埋め込まれる複数のハーネスのうちのいくつかを、断熱層５３に対する耐久性のより高い第１被覆材２２を用いて形成することで、ハーネス同士が短絡する可能性を低く抑えることができる。
【０１０２】
また、断熱層５３内に埋め込まれる複数のハーネスのうちのいくつかを、発泡剤浸漬前の伸び率が比較的に高い第２の被覆材２３を用いて形成することで、断熱箱体を製造する際の加工性を改善することができる。また、断熱層５３内に埋め込まれる複数のハーネスのうちのいくつかを、第２の被覆材２３を用いて形成することで、すべてのハーネスを第１の被覆材２２を用いて形成した場合と比較して、製造コストを低減させることができる。
【０１０３】
以上より、上記の構成によれば、ハロゲン化炭化水素を主成分として含む発泡剤を用いて断熱構造体の断熱効果を向上させつつ、発泡剤に起因した被覆材の劣化を抑えることができる。
【０１０４】
〔第３の実施形態〕
続いて、本発明の第３の実施形態について説明する。第３の実施形態では、断熱箱体５０内に配置された配線構造の構成のみが第２の実施形態とは異なっている。そこで、以下では、第３の実施形態にかかる配線構造について説明する。
【０１０５】
図９には、第３の実施形態にかかる配線構造１３０の外観構成を示す。配線構造１３０は、複数本のハーネス２０と、複数のコネクタ３１ａ・３１ｂ・３１ｃおよび３２と、樹脂製のテープ（外側被覆材）１４１とを有している。複数本のハーネス２０は、第１ハーネス２０ａと第２ハーネス２０ｂとで構成されている。第１ハーネス２０ａおよび第２ハーネス２０ｂの構成は、第２の実施形態と同様の構成が適用できる。
【０１０６】
図９に示すように、一例の配線構造１３０は、１０本のハーネス２０で構成されている。コネクタ３２は、配線構造１３０内のすべてのハーネス２０と接続されている。すなわち、コネクタ３２は、配線構造１３０内のすべてのハーネス２０を一つにまとめている。
【０１０７】
また、図９に示す一例の配線構造１３０では、１０本のハーネス２０のうちの右側６本のハーネス２０が、１個のコネクタ３１ａによって一つにまとめられている。また、１０本のハーネス２０のうちの左側４本のハーネス２０は、２本ずつに分けられて、２個のコネクタ３１ｂおよび３１ｃの何れかと接続されている。一つのコネクタ３１ａにまとめられている６本のハーネス２０においては、第１ハーネス２０ａと第２ハーネス２０ｂとが交互に配置されている。
【０１０８】
また、２つのグループに分けられている左側４本のハーネス２０は、各グループが、１本の第１ハーネス２０ａと１本の第２ハーネス２０ｂとでそれぞれ構成されている。各グループ間で隣接する位置には、断熱層５３に対する耐久性のより高い第１ハーネス２０ａが配置されている。これにより、隣接するハーネス同士が短絡する可能性を低下させることができる。
【０１０９】
第２の実施形態と同様に、配線構造１３０内の各ハーネス２０は、平面的に配置されていることが好ましい。そして、３本以上のハーネス２０の配列は、樹脂製のテープ（外側被覆材）１４１によってその外側表面が被覆されている。図９に示す一例の配線構造１３０では、コネクタ３２に近い側において、１０本のハーネス２０がテープ１４１ａによって一つにまとめられている。また、コネクタ３１ａに近い側において、６本のハーネス２０がテープ１４１ｂによって一つにまとめられている。
【０１１０】
テープ１４１は、第１ハーネス２０ａを構成する第１被覆材２２、または、第２ハーネス２０ｂを構成する第２被覆材２３と同じ素材で形成することができる。またあるいは、テープ１４１は、その他の伸縮性を有する樹脂素材で形成することもできる。また、テープ１４１は、透明あるいは半透明の材料で形成してもよい。
【０１１１】
本実施形態では、３本以上のハーネス２０がテープ１４１によって被覆され、一つにまとめられることで、各ハーネス２０の平面的な配置構造を保持することができる。これにより、断熱層５３に対する耐久性のより低い第１ハーネス２０ａ同士が接触することを避けることができる。
【０１１２】
また、各ハーネス２０ａ・２０ｂにおいて、テープ１４１によって被覆されている領域は、断熱層５３と被覆材２２・２３とが直接接触することが回避される。そのため、断熱層５３の影響によって被覆材２２・２３が硬化する可能性を低減させることができる。
【０１１３】
なお、１つの断熱箱体５０内において、第２の実施形態で説明した各種配線構造３０ａから３０ｄと、第３の実施形態で説明した配線構造１３０とが、混在していてもよい。すなわち、断熱箱体５０内の各位置において、一つにまとめるべきハーネスの本数に応じて、上述した各種配線構造を適宜選択することができる。
【０１１４】
〔第４の実施形態〕
続いて、本発明の第４の実施形態について説明する。第４の実施形態では、断熱箱体５０内に配置された配線構造の構成のみが第２の実施形態とは異なっている。そこで、以下では、第４の実施形態にかかる配線構造について説明する。
【０１１５】
図１０には、第４の実施形態にかかる配線構造２３０の外観構成を示す。配線構造２３０は、複数本のハーネス２０と、複数のコネクタ２３１および２３２ａ・２３２ｂと、複数の樹脂製の外側テープ（外側被覆材）２４１と、複数の樹脂製の内側テープ（外側被覆材）２４２とを有している。
【０１１６】
ハーネス２０は、芯材と、それを被覆する被覆材とで構成されている。芯材は、導電性を有する金属線（銅線など）で形成されている。被覆材は、芯材の外周を覆っている。被覆材は、可撓性を有する絶縁性の材料（樹脂組成物など）で形成されている。
【０１１７】
ハーネス２０としては、第１の実施形態で説明した第１ハーネス２０ａおよび第２の実施形態で説明した第２ハーネス２０ｂの何れかを採用することができる。第２の実施形態では、第１ハーネス２０ａおよび第２ハーネス２０ｂという２種類のハーネスで配線構造を構成していたが、本実施形態では、第１ハーネス２０ａおよび第２ハーネス２０ｂの何れか１種類のみを用いて配線構造を構成してもよい。
【０１１８】
図１０に示すように、一例の配線構造２３０は、１０本のハーネス２０で構成されている。コネクタ２３１は、配線構造２３０内のすべてのハーネス２０と接続されている。すなわち、コネクタ２３１は、配線構造２３０内のすべてのハーネス２０を一つにまとめている。
【０１１９】
また、図１０に示す一例の配線構造２３０では、１０本のハーネス２０のうちの右側４本のハーネス２０が、１個のコネクタ２３２ａによって一つにまとめられている。また、１０本のハーネス２０のうちの左側６本のハーネス２０が、１個のコネクタ２３２ｂによって一つにまとめられている。このように、一例の配線構造２３０では、その上方部分において、各ハーネス２０が２つにグループ分けされている。
【０１２０】
第２の実施形態と同様に、配線構造２３０内の各ハーネス２０は、平面的に配置されていることが好ましい。ハーネス２０の配列は、樹脂製の外側テープ（外側被覆材）２４１によってその外側表面が被覆されている。
【０１２１】
さらに、配線構造２３０では、各ハーネス２０の配列が２つにグループ分けされている分岐部分において、外側テープ２４１の内側に、内側テープ２４２が設けられている。内側テープ２４２は、２つに分かれたハーネス２０集合のグループごとに、その外側表面を被覆している。
【０１２２】
外側テープ２４１および内側テープ２４２は、ハーネス２０を構成する被覆材と同じ素材で形成することができる。またあるいは、外側テープ２４１および内側テープ２４２は、その他の伸縮性を有する樹脂素材で形成することもできる。なお、図１０では、説明の便宜上、外側テープ２４１および内側テープ２４２を半透明の材料として図示しているが、外側テープ２４１および内側テープ２４２は、不透明の材料であってもよい。
【０１２３】
このように、配線構造２３０では、ハーネス２０の表面が、断熱層５３と接触する略全領域において、外側テープ２４１および内側テープ２４２の少なくとも何れかで覆われていることが好ましい。
【０１２４】
上記構成の配線構造２３０は、断熱箱体５０を構成している断熱層５３内に埋め込まれている。第１の実施形態と同様に、断熱層５３は、発泡剤として、ビニレン基（−ＣＨ＝ＣＨ−）、ビニル基（Ｈ２Ｃ＝ＣＨ−）、及びビニリデン基（Ｈ２Ｃ＝ＣＨ＜）の何れかを基本構造とするハロゲン化炭化水素を主成分として含む発泡剤を使用している。したがって、断熱効率のより高い断熱構造体を得ることができる。
【０１２５】
上記のハロゲン化炭化水素を主成分として含む発泡剤としては、例えば、ハネウエルソルティス（登録商標）ＬＢＡ（ハネウエルジャパン株式会社製）などが挙げられる。この発泡剤を用いることで、断熱構造体のエネルギー効率をより向上させることができる。
【０１２６】
そして、本実施形態では、配線構造２３０を構成するハーネス２０の外側表面の全領域が、外側テープ２４１および内側テープ２４２の少なくとも何れかで覆われている。このような配線構造２３０を、上記のような発泡剤を使用した断熱層５３内に埋め込んだ場合には、配線構造２３０の配線領域のほぼ全範囲において、断熱層５３とハーネス２０の被覆材との間に、外側テープ２４１および内側テープ２４２の少なくとも何れかが介在することになる。
【０１２７】
上記の構成によれば、ハーネス２０の被覆材が断熱層５３と直接接触する可能性を低く抑えることができる。したがって、本実施形態にかかる配線構造２３０によれば、断熱層５３中に埋め込まれるハーネス２０の品質低下を抑えることができる。
【０１２８】
〔第５の実施形態〕
続いて、本発明の第５の実施形態について説明する。上述の第１の実施形態では、制御ユニット８１が機械室６０内に配置されている構成について説明した。しかし、本発明の冷蔵庫の構成は、これに限定はされない。そこで、第５の実施形態では、制御ユニットが断熱層内に配置されている構成例について説明する。
【０１２９】
図１１は、本実施形態に係る冷蔵庫３００の全体構成を示す側面断面図である。本実施形態に係る冷蔵庫３００においては、制御ユニット３８２の配置位置が第１の実施形態に係る冷蔵庫１とは異なっている。その他の構成については、基本的に第１の実施形態の冷蔵庫１と同様の構成が適用できる。そのため、冷蔵庫１と同様の構成部材については同じ符号を付し、その説明は省略する。
【０１３０】
図１１に示すように、制御ユニット３８２は、断熱箱体５０の内部に、断熱層５３に埋め込まれるようにして配置されている。制御ユニット３８２は、断熱箱体５０の内側に配置されている各部品（冷却器７２、冷却ファン７３、各種スイッチなど）と接続されている。
【０１３１】
また、図示はしていないが、制御ユニット３８２は、圧縮機６１などの断熱箱体５０の外側に配置されている各部品とも接続されている。制御ユニット３８２は、制御基板で構成されており、各部品の制御を行う。庫内制御ユニット３８２は、筐体などの中に収容され、断熱層５３とは直接接触しないようになっている。
【０１３２】
断熱層５３は、主として、発泡断熱材で構成される。断熱層５３を構成している発泡断熱材としては、第１の実施形態と同様のものを用いることができる。
【０１３３】
断熱層５３の内部には、ハーネス（配線）２０が埋め込まれている。第２の実施形態と同様に、ハーネス２０は、第１ハーネス２０ａと第２ハーネス２０ｂとで構成されている。第１ハーネス２０ａおよび第２ハーネス２０ｂの具体的な構成については、第１および第２の実施形態と同様の構成を適用することができる。
【０１３４】
本実施形態に係る冷蔵庫３００は、断熱箱体５０を構成している断熱層５３の発泡剤として、ビニレン基（−ＣＨ＝ＣＨ−）、ビニル基（Ｈ２Ｃ＝ＣＨ−）、及びビニリデン基（Ｈ２Ｃ＝ＣＨ＜）の何れかを基本構造とするハロゲン化炭化水素を主成分として含む発泡剤を使用している。したがって、断熱効率のより高い断熱構造体を得ることができる。
【０１３５】
〔第６の実施形態〕
続いて、本発明の第６の実施形態について説明する。上述の第２の実施形態では、本発明に係る断熱構造体の一例として、冷蔵庫の断熱箱体を例に挙げて説明した。しかし、本発明の断熱構造体は、これに限定はされない。そこで、第６の実施形態では、本発明の断熱構造体を保温器の筐体として使用する例について説明する。
【０１３６】
図４（ａ）には、本実施形態に係る保温器の筐体４００の構成を示す。図４（ａ）に示す筐体４００は、保温器の外形を形成している。冷蔵庫１の断熱箱体５０と同様に、筐体４００の内部が、保温対象となる飲料や食品などの収容室となっている。この収容室内を、例えば、７０℃程度の高温状態に維持することで、収容室内に置かれた飲料などを温めることができる。なお、筐体４００の前面には、扉（図示せず）が設けられている。
【０１３７】
断熱層５３は、主として、発泡断熱材で構成される。断熱層５３を構成している発泡断熱材としては、第１の実施形態と同様のものを用いることができる。
【０１３８】
断熱層５３の内部には、ハーネス（配線）２０が埋め込まれている。ハーネス２０は、保温器内の制御ユニット及び各部品を電気的に接続する。第２の実施形態と同様に、ハーネス２０は、第１ハーネス２０ａと第２ハーネス２０ｂとで構成されている。第１ハーネス２０ａおよび第２ハーネス２０ｂの具体的な構成については、第１および第２の実施形態と同様の構成を適用することができる。
【０１３９】
なお、本発明の断熱構造体は、上述した冷蔵庫及び保温器以外にも、例えば、湯沸かし器の筐体、冷水供給装置の筐体、住宅用の断熱材などに適用することができる。
【０１４０】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【０１４１】
１      ：冷蔵庫
２０    ：ハーネス（配線）
２０ａ  ：第１ハーネス（第１の配線）
２０ｂ  ：第２ハーネス（第２の配線）
２１    ：芯材
２２    ：第１被覆材
２３    ：第２被覆材
３０    ：配線構造
３０ａ  ：配線構造
３０ｂ  ：配線構造
３０ｃ  ：配線構造
３０ｄ  ：配線構造
５０    ：断熱箱体（断熱構造体）
５１    ：外箱
５２    ：内箱
５３    ：断熱層（断熱材）
１３０  ：配線構造
１４１    ：テープ（外側被覆材）
２３０  ：配線構造
２４１  ：外側テープ（外側被覆材）
２４２  ：内側テープ（外側被覆材）
３００  ：冷蔵庫
４００  ：保温器の筐体（断熱構造体）
【図１】
2018105555.tif 000005
【図２】
2018105555.tif 000006
【図３】
2018105555.tif 000007
【図４】
2018105555.tif 000008
【図５】
2018105555.tif 000009
【図６】
2018105555.tif 000010
【図７】
2018105555.tif 000011
【図８】
2018105555.tif 000012
【図９】
2018105555.tif 000013
【図１０】
2018105555.tif 000014
【図１１】
2018105555.tif 000015